(57)【要約】本発明は防護装飾分野に属し、特に安全で便利な格子型加飾構造に関し、前記格子型加飾構造は横フレーム（１）、縦フレーム（２）及び加飾体を含み、前記加飾体は横フレーム（１）及び縦フレーム（２）で囲まれた枠に配置され、前記加飾体は横フレーム（１）又は縦フレーム（２）に固定されている。取り付け又は組み立てが容易であり、取り外してから顧客に郵送することができ、顧客自身の取り付け又は組み立てを容易にし、簡単な連結関係下で、フレーム全体の連結強度が高く、依然として防犯効果を失うことがない。
2020530537.tif 000002
【特許請求の範囲】
【請求項１】
横フレーム（１）と、
縦フレーム（２）と、
加飾体とを含み、
前記加飾体は前記横フレーム（１）と前記縦フレーム（２）とで囲まれた枠に配置され、前記加飾体が前記横フレーム（１）又は前記縦フレーム（２）に固定されていることを特徴とする安全で便利な格子型加飾構造。
【請求項２】
前記加飾体は相互にスナップフィットされた外部フレーム（３１）を含み、前記外部フレーム（３１）は相互にスナップフィットされた状態で前記横フレーム（１）又は前記縦フレーム（２）に連結されていることを特徴とする請求項１に記載の安全で便利な格子型加飾構造。
【請求項３】
前記外部フレーム（３１）は第１固定端（３１１）と第２固定端（３１２）とをさらに含み、前記第１固定端（３１１）と前記第２固定端（３１２）とが相互にスナップフィットされていることを特徴とする請求項２に記載の安全で便利な格子型加飾構造。
【請求項４】
前記加飾体は前記外部フレーム（３１）によって固定された加飾芯（３２）をさらに含み、前記加飾芯（３２）が前記外部フレーム（３１）に取り外し可能に固定されていることを特徴とする請求項２に記載の安全で便利な格子型加飾構造。
【請求項５】
前記加飾芯（３２）の周辺に設けられた突起が、前記外部フレーム（３１）の凹溝に嵌め込まれ、前記加飾芯（３２）はスナップフィットされた前記外部フレーム（３１）に画定されたキャビティに固定されていることを特徴とする請求項４に記載の安全で便利な格子型加飾構造。
【請求項６】
前記外部フレーム（３１）の前記加飾芯（３２）が嵌め込まれる位置に凸辺が設けられ、前記加飾芯（３２）はスナップフィットされた前記外部フレーム（３１）及びその凸辺によって画定されたキャビティに固定されていることを特徴とする請求項４に記載の安全で便利な格子型加飾構造。
【請求項７】
前記加飾体は第１加飾体を含み、前記第１加飾体は前記縦フレーム（２）に取り付けられ、前記第１加飾体には位置決め及び固定を容易にする複数のノッチが設けられており、前記ノッチには前記縦フレーム（２）が嵌合され、前記第１加飾体には複数のノッチが設けられることで、間隔が異なる格子型構造に取り付けられやすいことを特徴とする請求項１に記載の安全で便利な格子型加飾構造。
【請求項８】
前記加飾体は第２加飾体を含み、前記横フレーム（１）及び前記縦フレーム（２）のいずれにも前記位置決め溝が設けられ、前記位置決め溝はいずれも前記第２加飾体に向かっており、前記第２加飾体は、取り付け過程において前記位置決め溝に摺動しながら挿入されることができ、４辺の前記横フレーム（１）及び前記縦フレーム（２）上の前記位置決め溝によって位置決め及び固定されることを特徴とする請求項１に記載の安全で便利な格子型加飾構造。
【請求項９】
前記横フレーム（１）は横フレーム本体及びリブを含み、前記横フレーム本体は順に連結されて前記横フレーム本体を形成する第１板（１１）、第２板（１２）、第３板（１３）及び第４板（１４）を含み、前記リブは第１リブ（１５）及び第２リブ（１６）を含み、前記第１リブ（１５）は前記第１板（１１）に連結され、前記第２リブ（１６）は前記第３板（１３）に連結され、前記第１リブ（１５）は前記第１板（１１）の延長と見なすことができ、前記第２リブ（１６）は前記第３板（１３）の延長と見なすことができ、連結するときに、前記縦フレーム（２）が前記第４板（１４）に当接し、前記リブは前記縦フレーム（２）に対して、前後位置制限を行い、ボルト固定、接着固定又は溶接固定によって、前記縦フレーム（２）が取り付けられており、前記縦フレーム（２）の両端が横フレーム（１）に取り付けられており、前記第１リブ（１５）、前記第４板（１４）、前記第２リブ（１６）は順に連結されて位置決め溝を構成し、前記縦フレーム（２）は前記位置決め溝に嵌合されていることを特徴とする請求項１−８のいずれか１項の記載の安全で便利な格子型加飾構造。
【請求項１０】
前記横フレーム（１）には、一定の間隔を置いて、ボルトが貫通するための貫通孔（１７）が設けられ、前記貫通孔（１７）は前記第４板（１４）に設けられ、前記横フレーム（１）には蓋板（１８）がさらに設けられ、前記蓋板（１８）はクリップ式の構造で前記横フレーム（１）に連結され、前記貫通孔（１７）を覆っていることを特徴とする請求項９に記載の安全で便利な格子型加飾構造。
【請求項１１】
前記横フレーム（１）には、一定の間隔を置いて、ボルトが貫通するための貫通孔（１７）が設けられ、前記横フレーム（１）は前記横フレーム（１）の内部に挿入する挿入板をさらに含み、前記挿入板は前記貫通孔（１７）を覆うことを特徴とする請求項９に記載の安全で便利な格子型加飾構造。
【請求項１２】
前記挿入板の長さは任意の貫通孔（１７）から横フレーム（１）の端部までの長さより長いことを特徴とする請求項１１に記載の安全で便利な格子型加飾構造。
【請求項１３】
請求項１−１２に記載の加飾体であり、
前記加飾体は相互にスナップフィットされた外部フレーム（３１）を含むことを特徴とする加飾体。
【請求項１４】
請求項１−１２に記載の加飾体であり、
前記加飾体は、外部フレーム（３１）と前記外部フレーム（３１）に連結された加飾芯（３２）とを含むことを特徴とする加飾体。
【請求項１５】
請求項１−１２に記載の加飾体であり、
前記加飾体は外部フレーム（３１）を含み、
前記加飾体は相互にスナップフィットされて連結された加飾芯（３２）をさらに含み、前記加飾芯（３２）がスナップフィット連結されるように前記外部フレーム（３１）に挟持されていることを特徴とする加飾体。
【請求項１６】
前記外部フレーム（３１）は第１固定端（３１１）と第２固定端（３１２）とをさらに含み、前記第１固定端（３１１）と前記第２固定端（３１２）とが相互にスナップフィットされていることを特徴とする請求項１３又は１４に記載の加飾体。
【請求項１７】
前記加飾体は加飾芯（３２）をさらに含み、前記外部フレーム（３１）には前記加飾芯（３２）を収容するための中空部がさらに設けられ、前記加飾芯（３２）が前記中空部に配置された状態で前記外部フレーム（３１）に固定されていることを特徴とする請求項１６に記載の加飾体。
【請求項１８】
前記加飾芯（３２）の側辺に複数の突起又は凹溝が設けられ、前記外部フレーム（３１）の加飾芯（３２）が嵌め込まれる位置に複数の対応する凹溝又は突起が設けられ、
前記加飾芯（３２）と前記外部フレーム（３１）とは突起及び／又は凹溝を介して相互に嵌め込まれ、そして前記第１固定端（３１１）及び前記第２固定端（３１２）は相互にスナップフィットされて連結されていることを特徴とする請求項１６に記載の加飾体。
【請求項１９】
前記外部フレーム（３１）の前記加飾芯３２が嵌め込まれる位置に凸辺が設けられ、前記加飾芯（３２）はスナップフィットされた前記外部フレーム（３１）及びその凸辺によって画定されたキャビティに固定されていることを特徴とする請求項１６に記載の加飾体。
【発明の詳細な説明】
【技術分野】
【０００１】
本発明は防護装飾分野に属し、特に安全で便利な格子型加飾構造に関する。
【背景技術】
【０００２】
現在市販されているガードレール、防犯用窓枠本体及び格子型加飾はいずれも一体式フレームを用い、又は複数の管材が直接に溶接される方式などで取り付けられる。
【０００３】
これらの取り付け方式はフレーム全体の堅牢度を保証することができるが、これらの方式は専門的な人員による操作を必要とするか又は比較的専門的な設備で操作する必要がある。
【０００４】
材料全体としてそれぞれの顧客に郵送する必要がある場合には、自分で組み立てることはできない。即ち、従来技術における窓加飾は、取り付け構造が複雑であり、取り付けが困難であり、郵送しにくいなどの問題がある。
【０００５】
従来の一体式フレーム又は直接溶接などの取り外し不可能な連結固定は、全体の防犯効果を保証するためである。ボルトが露出すると、一つのボルトによって、構造全体の安定性を破壊する可能性があり、全体的に安全で便利な格子型加飾構造はいずれも防犯効果を有しない。従って、取り付け過程において、防犯効果を保証する前提で、現在ではいずれも一体式フレームを採用している。即ち、溶接などの取り外し不可能な手段で連結した後、固定されている。
【発明の概要】
【０００６】
本発明の目的は、安全で便利な格子型加飾構造を提供することであり、少なくとも上記問題の一つを解決することである。
【０００７】
本発明が採用する技術的解決手段は以下のとおりである。安全で便利な格子型加飾構造であって、横フレーム及び縦フレームを含む格子と加飾体とを含み、前記加飾体は前記横フレームと前記縦フレームで囲まれた格子に配置され、前記加飾体は前記横フレーム又は前記縦フレームに固定されている。本願において、加飾体と外窓枠とを別々に作製する方式を採用し、工業化された製造を実現することに適する。取り外し可能なボルト連結を採用すれば、更に加飾体はユーザーによる取り外し洗浄などの機能を実現することができる。
【０００８】
本発明の更なる技術的解決手段は以下のとおりである。前記加飾体は、相互にスナップフィットされた外部フレームを含み、前記外部フレームは相互にスナップフィットされた状態で、前記横フレーム又は前記縦フレームに連結されている。ここでいう相互スナップフィットとは、図７に示すようなものであり、２枚のスナップフィットであり、セグメントの付加を意味するものではない。この解決手段の利点は、横方向のボルトによって前記加飾体全体を固定し、同時に前記横フレームと前記縦フレーム上の後述する蓋板とを嵌合し、ボルト連結を実現でき、且つボルトが露出せず、安全なだけではなく、取り外し可能である。
【０００９】
本発明の更なる技術的解決手段は以下のとおりである。前記外部フレームは、更に第１固定端と第２固定端とを含み、前記第１固定端と前記第２固定端とが相互にスナップフィットされている。前記外部フレームは、更にボルトが便利に貫通するための連結孔が設けられている。この固定方式は前の更なる説明に属する。即ち、スナップフィットされた状態で、ボルトによって、加飾体における２つの前記外部フレームにいずれも固定点があるように前記横フレーム又は前記縦フレームに固定させることを実現する方式である。この設計は、本願の安全性を大幅に向上させる。
【００１０】
本発明の更なる技術的解決手段は以下のとおりである。前記加飾体は、更に前記外部フレームを介して固定される加飾芯を含み、加飾芯は前記外部フレームに対して取り外し可能に固定されている。固定方式の一つとして、前記加飾芯の周辺に設けられた突起が、前記外部フレームの溝に嵌め込まれ、前記加飾芯はスナップフィットされた前記外部フレームによって画定されたキャビティに固定されている。もう一つは、前記外部フレームの前記加飾芯が嵌め込まれる位置に凸辺が設けられて、前記加飾芯はスナップフィットされた前記外部フレームとその凸辺によって画定されたキャビティに固定されている。他の方式で固定することもできる。例としてはスナップフィット、固定部材で固定するなどである。前記加飾芯は、前記外部フレームによって画定された部分を指し、図５又は図７のような形態に限定されるものではない。前記凸辺がなければ、前記加飾芯は直接前記外部フレームに嵌め込まれることができ、一面から押し込まれることができ、他面から押し出される。限定的な作用はない。もう一つの前記加飾芯に対する限定は、固定する前記外部フレーム全体のボルトの長さを延長して、前記のボルトも前記加飾芯に対して限定することができる。しかし、このような設計は、取り付けが不便になり、同時に固定点が少ないため、単純に使用することができない。本願は前記加飾芯を限定する位置に凸辺を増設し、より良く前記外部フレームのスナップフィット式組み立て形式に嵌合し、同時に前記加飾芯の外周全体を凸辺を介して限定して、シンプルで効率的である。同時に、必要な場合に加飾体全体の固定強度を高めるために、上記ボルトの長さを延長する方式も同時に加えることができることが考えられる。
【００１１】
本発明の更なる技術的解決手段は以下のとおりである。前記格子型加飾構造は更に第１加飾体を含み、前記第１加飾体は前記縦フレームに取り付けられ、前記第１加飾体には位置決めと固定とを容易にする複数のノッチが設けられ、前記ノッチには前記縦フレームが嵌合され、前記第１加飾体は、前記第１加飾体に複数のノッチが設けられているために、間隔が異なる格子に取り付けられやすい。
【００１２】
本発明の更なる技術的解決手段は以下のとおりである。前記格子型加飾構造は更に第２加飾体を含み、前記横フレームと前記縦フレームのいずれにも前記位置決め溝が設けられ、前記位置決め溝はいずれも前記第２加飾体に向かっており、前記第２加飾体は取り付け過程において、前記位置決め溝に摺動しながら挿入されることができ、４辺の前記横フレーム及び前記縦フレーム上の前記位置決め溝によって位置決め及び固定される。
【００１３】
本発明の更なる技術的解決手段は以下のとおりである。前記横フレームは横フレーム本体とリブとを含み、前記横フレーム本体は順に連結されて前記横フレーム本体を形成する第１板と、第２板と、第３板と、第４板とを含み、前記リブは第１リブ及び第２リブを含み、前記第１リブが前記第１板に連結され、前記第２リブが前記第３板に連結され、前記第１リブは前記第１板の延長と見なすことができ、前記第２リブは前記第３板の延長と見なすことができ、連結するときに、前記縦フレームが前記第４板に当接し、前記リブは前記縦フレームに対して、前後位置制限を行い、ボルト又は他の固定方式によって前記縦フレームに対して、他の自由度の制限を行い、前記縦フレームの両端はそれぞれこの横フレームによって限定され、前記第１リブ、前記第４板、前記第２リブは順に連結されて位置決め溝を構成し、前記縦フレームは前記位置決め溝に嵌合されている。
【００１４】
本発明の更なる技術的解決手段は以下のとおりである。前記横フレームには、一定の間隔を置いて、ボルトが貫通するための貫通孔が設けられ、前記貫通孔は前記第４板に設けられ、前記横フレームに更に蓋板が配置され、前記蓋板はクリップ式構造を介して前記横フレームに連結され、前記貫通孔を覆う。
【００１５】
本発明の更なる技術的解決手段は以下のとおりである。前記横フレームには、一定の間隔を置いて、ボルトが貫通するための貫通孔が設けられ、前記横フレームは更に前記横フレームの内部に挿入する挿入板を含み、前記挿入板は前記貫通孔を覆う。ボルトの露出を効果的に回避し、安全性を向上させる。
【００１６】
本発明の更なる技術的解決手段は以下のとおりである。前記挿入板の長さは任意の貫通孔から横フレーム端部までの長さより長い。これによって、この挿入板が横にスライドしても、前記貫通孔を露出させることができなく、全体が取り外されない限り、片側からスライドすることができない。取り付けが便利であり、且つ安全性を大幅に向上させる。
【００１７】
更に加飾体の便利な取り外し、防犯の要求を満たし、美観、便利で洗浄しやすさ、簡単で郵送しやすいなどの利点の１つ又は複数の問題を解決するため、本願は更に以下の解決手段を含む。加飾体であって、前記加飾体は上述のような加飾体である。前記加飾体は外部フレームと前記外部フレームに連結される加飾芯とを含む。
【００１８】
更に加飾体の便利な取り外し、防犯の要求を満たし、美観、便利で洗浄しやすさ、簡単で郵送しやすいなどの利点の１つ又は複数の問題を解決するため、加飾体であって、前記加飾体は上述のような加飾体である。前記加飾体は相互にスナップフィットされた外部フレームを含む。
【００１９】
更に加飾体の便利な取り外し、防犯の要求を満たし、美観、便利で洗浄しやすさ、簡単で郵送しやすいなどの利点の１つ又は複数の問題を解決するため、加飾体であって、前記加飾体は上述のような加飾体である。前記加飾体は外部フレームを含む。前記加飾体は更に相互にスナップフィットされて連結された加飾芯を含み、前記加飾芯がスナップフィット連結されるように前記外部フレームに挟持される。
【００２０】
本発明の更なる技術的解決手段は以下のとおりである。前記外部フレームは更に第１固定端と第２固定端とを含み、前記第１固定端と前記第２固定端とが相互にスナップフィットされて連結される。
【００２１】
本発明の更なる技術的解決手段は以下のとおりである。前記加飾体は更に加飾芯を含み、前記外部フレームに更に前記加飾芯を収容するための中空部が設けられ、前記加飾芯は前記中空部に配置された状態で、前記外部フレームに固定されている。
【００２２】
本発明の更なる技術的解決手段は以下のとおりである。前記加飾芯の側辺に複数の突起又は凹溝が設けられ、前記外部フレームの前記加飾芯が嵌め込まれる位置に複数の対応する凹溝又は突起が設けられる。
【００２３】
前記加飾芯と前記外部フレームとは突起及び／又は凹溝を介して、相互に嵌め込まれ、そして前記第１固定端及び前記第２固定端は相互にスナップフィットされて連結される。
【００２４】
本発明の更なる技術的解決手段は以下のとおりである。前記外部フレームの前記加飾芯が嵌め込まれる位置に凸辺が設けられ、前記加飾芯がスナップフィットされた前記外部フレーム及び凸辺によって画定されたキャビティに固定されている。
【００２５】
本発明の有益な効果は以下のとおりである。取り付け又は組み立てが容易であり、取り外してから顧客に郵送することができ、顧客自身の取り付け又は組み立てを容易にし、簡単な連結関係下で、フレーム全体の連結強度が高く、依然として防犯効果を失うことがなく、本発明は特にガードレール、防犯ドア及び他の格子類加飾製品に適用する。
【図面の簡単な説明】
【００２６】
【図１】従来の実施形態における実施例１の斜視図である。
【図２】従来の実施形態における横フレームの断面図の１である。
【図３】従来の実施形態における横フレームの断面図の２である。
【図４】従来の実施形態における横フレームの端部の斜視図である。
【図５】図１におけるＡの拡大図である。
【図６】従来の実施形態における実施例２の局所斜視図である。
【図７】第２加飾体構造の分解図である。
【図８】前記外部フレームの別の設計図である。
【発明を実施するための形態】
【００２７】
以下、本発明の実施例について詳細に説明し、前記実施例の例を図中に示す。以下の図を参照して説明する実施例は例示的で、本発明の解釈に用いることを目的とし、本発明の制限と理解することはできない。
【００２８】
本発明の説明において、「中心」、「縦方向」、「横方向」、「長さ」、「幅」、「厚さ」、「上方」、「下方」、「前方」、「後方」、「左側」、「右側」、「垂直」、「水平」、「頂部」、「底部」、「内側」、「外側」、「時計回り」、「反時計回り」、「軸方向」、「半径方向」、「円周方向」などの専門用語が指示する方位又は位置関係は図面に示される方位又は位置関係に基づくものであり、単に本発明の説明を容易にする又は説明の簡略化のため、指定される装置又は素子が特定の方位を有し、特定の方位で構造及び操作されなければならないことを指示又は示唆するものではなく、したがって、本発明に対する制限とは解釈できないことを理解されるべきである。
【００２９】
又は、「第１」、「第２」という専門用語は、目的の説明だけのために使用され、相対的な重要度を指示や示唆すること又は指示される技術的特徴の数量を暗示することを理解されるべきではない。従って、「第１」、「第２」で限定される特徴は、少なくとも１つの当該特徴を明示的や暗示的に含むことができる。本発明の説明において、「複数」とは、特に明示されていない限り、少なくとも２個、例えば２個、３個等である。
【００３０】
本発明において、他に明示的に定義されない限り、「配置する」、「繋がる」、「連結する」、「固定する」等の専門用語は広義に理解されるべきであり、例えば、固定連結であってもよく、取り外し可能に連結されてもよく、又は一体であってもよい。機械的な連結であってもよく、電気的な連結又は相互に通信可能であってもよい。直接に連結されてもよく、中間媒体を介して間接的に連結されてもよく、２つの素子内部の連通又は２つの素子の相互作用の関係であってもよく、特に明確な限定がない限り。当業者にとって、具体的な状況に応じて上述の専門用語が本発明における具体的な意味を理解することができる。
【００３１】
本発明において、特に明記しない限り、第１特徴が第２特徴の「上」又は「下」にあるのは、第１特徴と第２特徴とが直接に接触するか、第１特徴と第２特徴とが中間媒体を介して間接的に接触することであってもいい。また、第１特徴が第２特徴の「上」、「上方」及び「上面」にあるのは、第１特徴が第２特徴の直上又は斜め上方にあり、又は第１特徴レベルの高さが第２特徴より高いことのみを示す。第１特徴は第２特徴の「下」、「下方」及び「下面」にあるのは、第１特徴が第２特徴の直下又は斜め下方にあり、又は第１特徴レベルの高さが第２特徴より小さいことのみを示す。
【００３２】
本願において、格子型加飾構造は横フレームと縦フレームとを含み、前記横フレーム又は前記縦フレームにはリブと蓋板とが配置されている。以下、横フレームを例にして説明する。
【００３３】
横フレーム１は横フレーム本体及びリブを含み、前記横フレーム本体は順に連結して前記横フレーム本体を形成する第１板１１と、第２板１２と、第３板１３と、第４板１４とを含み、前記リブは第１リブ１５及び第２リブ１６を含む。第１リブ１５は第１板１１に連結され、第２リブ１６は第３板１３に連結される。第１リブ１５は、第１板１１の延長と見なすことができ、第２リブ１６は、第３板１３の延長と見なすことができる。
【００３４】
連結するときに、縦フレーム２は第４板１４に当接し、前記リブは縦フレーム２に対して前後制限を行って位置決めを行い、ボルト又は他の固定方式によって縦フレーム２に対して他の自由度を限定する。縦フレーム２の両端には、それぞれこの横フレーム１によって限定される。第１リブ１５、第４板１４、第２リブ１６は順に連結されて位置決め溝を構成し、縦フレーム２は前記位置決め溝に嵌合されている。
【００３５】
縦フレーム２の内部にボルト連結を容易にするための開口しているＯ字形溝の構造が設けられてもよい。これによって、横フレーム１を貫通するボルトは縦フレーム２を固定しやすい。固定を更に容易にするために、横フレーム１は一定の間隔をおいてボルトが貫通しやすい貫通孔１７が設けられ、貫通孔１７は第４板１４に設けられ、第２板１２は状況に応じて配置される。横フレーム１に蓋板１８が更に設けられるときに、第２板１２に貫通孔１７が設けられなくてもよい。蓋板１８はクリップ式構造によって横フレーム１に連結され、貫通孔１７を覆う。横フレーム１は更に以下の構造であってもよい。即ち横フレーム１の内部に挿入板を挿入し、挿入板によって貫通孔１７を覆う。安全を確保するために、前記挿入板は横フレーム１の長さとほぼ一致する必要がある。
【００３６】
横フレーム１と縦フレーム２との間の構造設計は相互に交換することができる。即ち、縦フレーム２に位置決め溝が設けられ、横フレーム１は前記位置決め溝に嵌合して取り付けられている。本願の加飾体には少なくとも以下の２種類がある。即ち、下述の第１加飾体と第２加飾体である。前記加飾体はボルトの形式によって、横フレーム１又は縦フレーム２に固定されることができ、溶接などの方式によって固定されることもできる。ボルトの方式で固定すると、窓加飾構造全体の一体性を効果的に保証することができる。溶接方式で固定すると、前記加飾体と横フレーム１又は縦フレーム２との連結箇所に隙間がないことを保証でき、防犯効果を強化する。
【００３７】
加飾体であって、前記加飾体は上述のような加飾体である。前記加飾体は相互にスナップフィットされた外部フレーム３１を含む。外部フレーム３１は更に第１固定端３１１及び第２固定端３１２を含み、第１固定端３１１と第２固定端３１２とは相互にスナップフィットされて連結されている。
【００３８】
前記加飾体は更に加飾芯３２を含み、外部フレーム３１は更に加飾芯３２を収容するための中空部が設けられ、加飾芯３２が前記中空部に配置された状態で外部フレーム３１に固定されている。加飾芯３２が中空部に固定される方式は多種多様であることが理解できる。方式１、加飾芯３２を前記中空部に埋め込んだ後に、ボルトによって外部フレーム３１と加飾芯３２とを連結することができる。方式２、加飾芯３２を前記中空部に埋め込んだ後に、ボルトによって横フレーム１、外部フレーム３１及び加飾芯３２を順に連結して固定する。方式３、加飾芯３２を前記中空部に埋め込んだ後に、ボルトによって縦フレーム２、外部フレーム３１及び加飾芯３２を順に連結して固定する。方式４、中空部の側面に余剰側辺が配置され、外部フレーム３１は二切れがスナップフィットによって連結され、従って、当該側辺によって加飾芯３２を前記中空部に固定することができ、それにより当該構造はサンドイッチ状ビスケットの形態を形成する。方式５，加飾芯３２の周辺に設けられた突起が、外部フレーム３１の凹溝に嵌め込まれ、加飾芯３２はスナップフィットされた外部フレーム３１によって画定されたキャビティに固定される（図示せず）。
【００３９】
図６に示すように、前記格子型加飾構造は更に第１加飾体を含み、前記第１加飾体は横フレーム１及び／又は縦フレーム２に取り付けられている。前記第１加飾体には位置付けと固定とに有利なノッチが設けられ、前記ノッチには横フレーム１又は縦フレーム２が嵌合されている。前記第１加飾体構造は単独で製造されてもよく、製造が完了した後に横フレーム１又は縦フレーム２の寸法に基づいて溝が形成されている。前記第１加飾体にはノッチを複数設けることができ、これにより異なる間隔の格子型構造に取り付けるのに便利となる。
【００４０】
前記第２加飾体の取り付けは、ボルト又は溶接によって前記格子型加飾構造に直接固定することができる。ボルト固定は更に便利に操作できる。
【００４１】
図５に示すように、前記格子型加飾構造は前記第２加飾体を取り付けるときに、横フレーム１及び縦フレーム２のいずれにも前記位置決め溝が設けられる。前記位置決め溝の構造は上述のとおりである。前記位置決め溝はいずれも前記加飾体構造に向かっている。前記加飾体は取り付け過程において、既に３辺が位置決めされた前記格子型構造内に摺動しながら挿入されることができ、そして第４辺を固定して位置決め固定されている。当該構造は、非専門家が窓加飾構造への取り付けを容易にすることができ、簡単で、便利で、信頼性が高い。
【００４２】
前記窓加飾構造は更に第２加飾体を含む。前記第２加飾体は更に第２加飾体主体、第２加飾体蓋板及び内部図形を含む。前記内部図形は前記第２加飾体本体に埋め込まれ、前記第２加飾体蓋板と前記第２加飾体本体とがスナップフィットされ、更に前記内部図形を位置決めする。
【００４３】
本願に係る「スナップフィット」は２者が相互に嵌合してインターロックされるだけでなく、相互に逆刺の形で噛合し、締まり嵌め、突起物及び凹溝の嵌合などを含むと考えられる。
【００４４】
前記第２加飾体本体は前記十字形フレーム本体に対応し、前記第２加飾体の蓋板は前記十字形フレームの蓋板に対応し、前記内部菱形構造又は前記内部菱形王冠構造は前記内部図形に対応する。
【００４５】
図５から分かるように、前記第２加飾体は十字形フレームと内部の菱形王冠構造とを含む。ここで言う十字形フレームは、「十字形」に限らず、四角形、円型又はその他の幾何輪郭とすることもできる。ここで説明するのは、前記十字形フレームは分体式設計であり、即ち前記十字形フレームは類似の横フレーム又は縦フレームに配置される蓋板を有する。前記十字形フレーム構造の本体とその蓋板の構造形状とは同じである。内部菱形構造の位置決めを容易にするために、前記蓋板の縁部は前記十字形フレームの本体構造に突き出ることが考えられる。即ち、前記内部菱形構造は前記十字形フレーム本体に嵌め込まれた後、前記十字形フレームの蓋板がスナップフィットされ、前記内部菱形構造を位置決めする。前記内部菱形構造も図中に述べた又は上述の「菱形」に限らず、他の結合輪郭又は図形とすることもできる。そして、前記内部菱形構造は溶接又はボルト連結又は接着等の連結方式によって、前記十字形フレームに固定できる。前記十字形フレームは溶接又はボルト連結又は接着等の連結方式によって、格子型構造に固定される。
【００４６】
前記十字形フレームの蓋板が前記十字形フレーム本体の両側に配置でき、そして内部菱形構造を位置決めすることができることが考えられる。
【００４７】
図７は図５の分解図である。本図から分かるように、前記第２加飾体は、２つのインターロックされた外部フレーム３１と２つのインターロックされた加飾芯３２とを含む。外側フレーム３１がスナップフィットされた状態で、加飾芯３２が予め決められた位置に配置されている。図７に示すように、この２つの菱形加飾芯３２がスナップフィットされた状態で、外部フレーム３１によって当該外部フレーム３１の中心に予め画定された菱形領域に制限される。この制限は、インターロックされている２つの外部フレーム３１の中心に凸辺を配置して、凸辺によって加飾芯３２の周囲を制限する。また、加飾芯３２は一体式であってもよいが、図におけるような分体式設計はより容易に製造できることが想像できるであろう。しかしながら、このような分体式の加飾芯３２に限らない。
【００４８】
本願はモジュール化で設計される加飾体及び加飾芯３２により、加飾芯３２が取り外し可能で交換され、顧客が自分の好きな形状又は模様を選択又はカスタマイズすることが容易になる。同時に、構造を改良することで、当該構造は交換可能な前提を満たし、当該構造の防犯効果を最大限に保持する。上記総合の効果を実現するために、本願は以下の技術的解決手段を用いて実現する。
【００４９】
外部フレーム３１の加飾芯３２が嵌め込まれる位置に凸辺が設けられ、加飾芯３２はスナップフィットされた外部フレーム３１及びその凸辺によって画定されたキャビティに固定されている。
【００５０】
加飾芯３２は二つの部分を含み、この二つの部分は相互にスナップフィットされて加飾芯３２を構成する。
【００５１】
また、図から分かるように、外部フレーム３１は更に相互に嵌合する固定端を含む。即ち第１固定端３１１及び第２固定端３１２である。第１固定端３１１と第２固定端３１２とは相互にスナップフィットされ、且ついずれもボルトが貫通することを容易にする連結孔が設けられている。第１固定端３１１に第２固定端３１２を嵌め込む固定板が配置され、前記固定板は第２固定端３１２を嵌め込む。そして、ボルトによって第１固定端３１１と第２固定端３１２との貫通孔を貫通して、当該第２加飾体をフレーム全体に固定する。図から分かるように、第１固定端３１１及び第２固定端３１２の端部のいずれにも連結板が配置され、当該連結板に貫通孔が設けられている。第１固定端３１１及び第２固定端３１２がスナップフィットされた状態では、格子型加飾構造全体の側面から見ると、一つの孔のみがあり、横フレーム１又は縦フレーム２から打ち込まれたボルトが当該合併された貫通孔を貫通して外部フレーム３１を外フレームに固定させている。
【００５２】
想像できるように、二切れの前記外部フレームが相互にスナップフィットされてから、溶接によって３１を横フレーム１及び／又は縦フレーム２に溶接することも可能である。
【００５３】
上記の説明から分かるように、本願の加飾体が横フレーム１又は縦フレーム２に連結される実施例はボルト連結又は溶接する傾向があり、当然ながら他の固定方式に限定されるものではない。しかしながら、本願の比較的傾向はボルト連結と溶接である。ボルト連結と溶接の利点は既に前記の通りに記述されていた。
【００５４】
本願における加飾体について更に説明する。本願において、前記加飾体の配置は多くの要件を考慮し、複数の問題を解決する。防犯、美しさ、洗いやすさ、取り外しやすさ、郵送しやすさ等を含むが、これらに限定されるものではない。上記利点のうちの一つ又は複数を実現するために、本願は当該加飾体の複数の設計案が存在し、以下のようにいくつかの設計方式を簡単に紹介する。
【００５５】
１．上述のように、分体スナップフィット式である。
【００５６】
２．もう一つのスナップフィット方式であって、加飾芯３２は分体式スナップフィットで、且つ外部フレーム３１を中間に挟んで、そして溶接またはボルトで固定する。ここで防犯効果を保証するために、更に外部でボルトが露出しないように配慮するので、ここのボルト固定とは外部フレーム３１を横フレーム１又は縦フレーム２に固定するボルトで、これらのボルトが加飾芯３２のフレームの中に入るように固定する。又は加飾芯３２の外部に突っ張って固定であってもよい、当接位置は複数であるため、加飾３２を固定することもでき、更にボルトが表面に露出していないため、大きな安全性のリスクがなく、防犯効果を保証することができる。
【００５７】
３、上述の第２加飾体の形式は、主に便利な分解と取り付けとの問題を解決するため、最も直接的なボルト又は溶接固定を採用する。
【００５８】
４、外部フレーム３１と加飾芯３２との間は、ほぞの方式を用いて連結されている。この連結方式は多種多様である。例えば、加飾芯３２の辺側に複数の突起又は凹溝が設けられ、外部フレーム３１は加飾芯３２が嵌め込まれる位置に、複数の対応する凹溝又は突起が設けられ、この２者の間が相互に係合することによって位置決めされる。そして、外にボルトを露出しない固定方式で固定する。または加飾芯３２又は前記外部フレームの分体式を通じて固定する。また、係合ジョグルジョイントしてから溶接を採用して最後の固定を行うこともできる。
【００５９】
図８から分かるように、外部フレーム３１に具体的に凹溝が設けられる方式は、即ち外部フレーム３１の加飾芯３２が嵌め込まれることが必要な位置に凹溝が設けられている。この凹溝を介して加飾芯３２上の突起に嵌合することにより、位置決め及び固定をより良好に行うことができる。図８を加味すると、加飾芯３２に設けられた突起の状況を容易に想像することができる。更に、本願において数回言及したのは、前記突起と凹溝の位置は相互に入れ替えることが可能であり、この方式は容易に考えられる。
【００６０】
また、加飾芯３２は外部フレーム３１と同様に二切れのスナップフィットによって連結されてもよく、そして、溶接、ボルト、締まり嵌めなどの方式で外部フレーム３１に連結されることが考えられる。同時に前記の配置された複数の突起もこの解決手段に応用できる。
【００６１】
上述した内容は、本発明の好ましい実施形態にすぎず、本発明を限定するものではない。本発明の精神及び原則範囲内で限り、いかなる修正、同等置換及び改良などのすべては本発明の保護範囲内に含まれるべきである。
【図１】
2020530537.tif 000003
【図２】
2020530537.tif 000004
【図３】
2020530537.tif 000005
【図４】
2020530537.tif 000006
【図５】
2020530537.tif 000007
【図６】
2020530537.tif 000008
【図７】
2020530537.tif 000009
【図８】
2020530537.tif 000010
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
横フレーム（１）と、
縦フレーム（２）と、
加飾体とを含み、
前記加飾体は前記横フレーム（１）と前記縦フレーム（２）とで囲まれた枠に配置され、前記加飾体が前記横フレーム（１）又は前記縦フレーム（２）に固定されていることを特徴とする安全で便利な格子型加飾構造。
【請求項２】
前記加飾体は相互にスナップフィットされた外部フレーム（３１）を含み、前記外部フレーム（３１）は相互にスナップフィットされた状態で前記横フレーム（１）又は前記縦フレーム（２）に連結されていることを特徴とする請求項１に記載の安全で便利な格子型加飾構造。
【請求項３】
前記外部フレーム（３１）は第１固定端（３１１）と第２固定端（３１２）とをさらに含み、前記第１固定端（３１１）と前記第２固定端（３１２）とが相互にスナップフィットされていることを特徴とする請求項２に記載の安全で便利な格子型加飾構造。
【請求項４】
前記加飾体は前記外部フレーム（３１）によって固定された加飾芯（３２）をさらに含み、前記加飾芯（３２）が前記外部フレーム（３１）に取り外し可能に固定されていることを特徴とする請求項２に記載の安全で便利な格子型加飾構造。
【請求項５】
前記加飾芯（３２）の周辺に設けられた突起が、前記外部フレーム（３１）の凹溝に嵌め込まれ、前記加飾芯（３２）はスナップフィットされた前記外部フレーム（３１）に画定されたキャビティに固定されていることを特徴とする請求項４に記載の安全で便利な格子型加飾構造。
【請求項６】
前記外部フレーム（３１）の前記加飾芯（３２）が嵌め込まれる位置に凸辺が設けられ、前記加飾芯（３２）はスナップフィットされた前記外部フレーム（３１）及びその凸辺によって画定されたキャビティに固定されていることを特徴とする請求項４に記載の安全で便利な格子型加飾構造。
【請求項７】
前記加飾体は第１加飾体を含み、前記第１加飾体は前記縦フレーム（２）に取り付けられ、前記第１加飾体には位置決め及び固定を容易にする複数のノッチが設けられており、前記ノッチには前記縦フレーム（２）が嵌合され、前記第１加飾体には複数のノッチが設けられることで、間隔が異なる格子型構造に取り付けられやすいことを特徴とする請求項１に記載の安全で便利な格子型加飾構造。
【請求項８】
前記加飾体は第２加飾体を含み、前記横フレーム（１）及び前記縦フレーム（２）のいずれにも位置決め溝が設けられ、前記位置決め溝はいずれも前記第２加飾体に向かっており、前記第２加飾体は、取り付け過程において前記位置決め溝に摺動しながら挿入されることができ、４辺の前記横フレーム（１）及び前記縦フレーム（２）上の前記位置決め溝によって位置決め及び固定されることを特徴とする請求項１に記載の安全で便利な格子型加飾構造。
【請求項９】
前記横フレーム（１）は横フレーム本体及びリブを含み、前記横フレーム本体は順に連結されて前記横フレーム本体を形成する第１板（１１）、第２板（１２）、第３板（１３）及び第４板（１４）を含み、前記リブは第１リブ（１５）及び第２リブ（１６）を含み、前記第１リブ（１５）は前記第１板（１１）に連結され、前記第２リブ（１６）は前記第３板（１３）に連結され、前記第１リブ（１５）は前記第１板（１１）の延長と見なすことができ、前記第２リブ（１６）は前記第３板（１３）の延長と見なすことができ、連結するときに、前記縦フレーム（２）が前記第４板（１４）に当接し、前記リブは前記縦フレーム（２）に対して、前後位置制限を行い、ボルト固定、接着固定又は溶接固定によって、前記縦フレーム（２）が取り付けられており、前記縦フレーム（２）の両端が横フレーム（１）に取り付けられており、前記第１リブ（１５）、前記第４板（１４）、前記第２リブ（１６）は順に連結されて位置決め溝を構成し、前記縦フレーム（２）は前記位置決め溝に嵌合されていることを特徴とする請求項１−８のいずれか１項の記載の安全で便利な格子型加飾構造。
【請求項１０】
前記横フレーム（１）には、一定の間隔を置いて、ボルトが貫通するための貫通孔（１７）が設けられ、前記貫通孔（１７）は前記第４板（１４）に設けられ、前記横フレーム（１）には蓋板（１８）がさらに設けられ、前記蓋板（１８）はクリップ式の構造で前記横フレーム（１）に連結され、前記貫通孔（１７）を覆っていることを特徴とする請求項９に記載の安全で便利な格子型加飾構造。
【請求項１１】
前記横フレーム（１）には、一定の間隔を置いて、ボルトが貫通するための貫通孔（１７）が設けられ、前記横フレーム（１）は前記横フレーム（１）の内部に挿入する挿入板をさらに含み、前記挿入板は前記貫通孔（１７）を覆うことを特徴とする請求項９に記載の安全で便利な格子型加飾構造。
【請求項１２】
前記挿入板の長さは任意の貫通孔（１７）から横フレーム（１）の端部までの長さより長いことを特徴とする請求項１１に記載の安全で便利な格子型加飾構造。
【請求項１３】
請求項１−１２のいずれかに記載の格子型加飾構造に含まれる加飾体であり、
前記加飾体は相互にスナップフィットされた外部フレーム（３１）を含むことを特徴とする加飾体。
【請求項１４】
請求項１−１２のいずれかに記載の格子型加飾構造に含まれる加飾体であり、
前記加飾体は、外部フレーム（３１）と前記外部フレーム（３１）に連結された加飾芯（３２）とを含むことを特徴とする加飾体。
【請求項１５】
請求項１−１２のいずれかに記載の格子型加飾構造に含まれる加飾体であり、
前記加飾体は外部フレーム（３１）を含み、
前記加飾体は相互にスナップフィットされて連結された加飾芯（３２）をさらに含み、前記加飾芯（３２）がスナップフィット連結されるように前記外部フレーム（３１）に挟持されていることを特徴とする加飾体。
【請求項１６】
前記外部フレーム（３１）は第１固定端（３１１）と第２固定端（３１２）とをさらに含み、前記第１固定端（３１１）と前記第２固定端（３１２）とが相互にスナップフィットされていることを特徴とする請求項１３又は１４に記載の加飾体。
【請求項１７】
前記加飾体は加飾芯（３２）をさらに含み、前記外部フレーム（３１）には前記加飾芯（３２）を収容するための中空部がさらに設けられ、前記加飾芯（３２）が前記中空部に配置された状態で前記外部フレーム（３１）に固定されていることを特徴とする請求項１６に記載の加飾体。
【請求項１８】
前記加飾芯（３２）の側辺に複数の突起又は凹溝が設けられ、前記外部フレーム（３１）の加飾芯（３２）が嵌め込まれる位置に複数の対応する凹溝又は突起が設けられ、
前記加飾芯（３２）と前記外部フレーム（３１）とは突起及び／又は凹溝を介して相互に嵌め込まれ、そして前記第１固定端（３１１）及び前記第２固定端（３１２）は相互にスナップフィットされて連結されていることを特徴とする請求項１６に記載の加飾体。
【請求項１９】
前記外部フレーム（３１）の前記加飾芯３２が嵌め込まれる位置に凸辺が設けられ、前記加飾芯（３２）はスナップフィットされた前記外部フレーム（３１）及びその凸辺によって画定されたキャビティに固定されていることを特徴とする請求項１６に記載の加飾体。
【国際調査報告】
2020530537.tif 000011
2020530537.tif 000012
2020530537.tif 000013
2020530537.tif 000014
2020530537.tif 000015
2020530537.tif 000016